(57)【特許請求の範囲】
【請求項１】
軟性挿入管内に挿通配置された可撓性の内蔵物の外周面に、保護コイルが螺旋状に巻き付けられた内視鏡の内蔵物保護構造において、
上記保護コイルの巻き始め端部と巻き終り端部の両方を、上記挿入管の内方を臨む位置に配置したことを特徴とする内視鏡の内蔵物保護構造。
【請求項２】
遠隔操作によって湾曲する湾曲部が上記挿入管の先端側の部分に形成されていて、上記保護コイルが、少なくとも上記湾曲部内において上記内蔵物に巻き付けられている請求項１記載の内視鏡の内蔵物保護構造。
【請求項３】
上記保護コイルの断面形状が円形である請求項１又は２記載の内視鏡の内蔵物保護構造。
【請求項４】
上記保護コイルの断面形状が偏平である請求項１又は２記載の内視鏡の内蔵物保護構造。
【請求項５】
上記内蔵物の外周面に螺旋溝が形成されていて、上記保護コイルが上記螺旋溝内に嵌められている請求項１、２、３又４記載の内視鏡の内蔵物保護構造。
【発明の詳細な説明】
【０００１】
【発明の属する技術分野】
この発明は、軟性挿入管内に挿通配置された内蔵物の外周面に保護コイルが巻き付けられた内視鏡の内蔵物保護構造に関する。
【０００２】
【従来の技術】
いわゆる軟性内視鏡においては、光学繊維束やチューブ類などのような可撓性のある各種内蔵物が、軟性挿入管内に挿通配置されている。
【０００３】
そのような軟性挿入管の先端側の部分には、一般に、遠隔操作によって湾曲する湾曲部が形成されている。そして、湾曲操作が繰り返されると、その内部で内蔵物に座屈や光学繊維折れなどの破損が発生する場合が少なくない。
【０００４】
そこで、そのような内蔵物の破損を防止するために、少なくとも湾曲部内において、内蔵物の外周面に保護コイルを螺旋状に巻き付けたものがある。
【０００５】
【発明が解決しようとする課題】
しかし、そのような保護コイルの巻き始めの端部や巻き終りの端部が、挿入管の外周側を臨む位置にあると、組み立て作業において内蔵物の束を挿入管に通す際に、保護コイルの端部が挿入管の口金などに引っ掛かって位置ずれを起こし、組み立て作業をやり直さなければならない場合がある。
【０００６】
そこで本発明は、保護コイルが巻き付けられた内蔵物を挿入管に通す組み立て作業を、保護コイルがずれることなく容易に行うことができる内視鏡の内蔵物保護構造を提供することを目的とする。
【０００７】
【課題を解決するための手段】
上記の目的を達成するため、本発明の内視鏡の内蔵物保護構造は、軟性挿入管内に挿通配置された可撓性の内蔵物の外周面に、保護コイルが螺旋状に巻き付けられた内視鏡の内蔵物保護構造において、上記保護コイルの巻き始め端部と巻き終り端部の少なくとも一方を、上記挿入管の内方を臨む位置に配置したことを特徴とする。
【０００８】
なお、遠隔操作によって湾曲する湾曲部が上記挿入管の先端側の部分に形成されていて、上記保護コイルが、少なくとも上記湾曲部内において上記内蔵物に巻き付けられていてもよい。
【０００９】
そして、上記保護コイルの断面形状が円形であってもよく、偏平であってもよい。また、上記内蔵物の外周面に螺旋溝が形成されていて、上記保護コイルが上記螺旋溝内に嵌められていてもよい。
【００１０】
【発明の実施の形態】
図面を参照して本発明の実施の形態を説明する。
図３は、挿入部が可撓性を有する軟性内視鏡を示しており、操作部８に連結された可撓管３０とその先端に連結された湾曲部１０とによって、軟性挿入管が形成されている。
【００１１】
湾曲部１０は、操作部８に設けられた操作ノブ９を回転操作することによって、遠隔的に任意に湾曲させることができる。湾曲部１０の先端には、対物光学系等を内蔵した先端部本体１が連結されている。
【００１２】
図４は、挿入部先端に設けられた先端部本体１の先端面を示しており、２は観察窓、３及び４は照明窓、５は送気ノズル、６は送水ノズル、７は鉗子チャンネル出口である。
【００１３】
図５は、観察窓２の中心と鉗子チャンネル出口７の中心を通る断面による、湾曲部１０の先端部分から先端部本体１部分の側面断面図である。
湾曲部１０は、多数の節輪１１をリベットで回動自在に連結し、その外周に網状管１２を被覆し、さらにそれの外周に弾力性のあるゴムなどからなる外皮チューブ１３を被覆して構成されている。
【００１４】
１５は、遠隔操作によって牽引操作される操作ワイヤであり、最先端の節輪１１に取り付けられたワイヤガイド１４に、操作ワイヤ１５の先端が固定されている。１６は、操作ワイヤ１５がワイヤガイド１４から外れるのを防止するための抜け止めチップである。
【００１５】
先端部本体１は、最先端の節輪１１が連結されて表面に露出しない金属ブロック部１ａと、外表面に露出する電気絶縁性のプラスチックブロック部１ｂとによって形成されている。
【００１６】
観察窓２の内側には対物レンズ１８が配置されていて、軟性挿入管内に挿通された可撓性のあるイメージガイドファイババンドル１９の入射端部１９ａが、対物レンズ１８の奥に固定されている。
【００１７】
イメージガイドファイババンドル１９と並列に軟性挿入管内に挿通された、例えば四フッ化エチレン樹脂製チューブからなる鉗子チャンネルチューブ２１は、接続パイプ２２を介して先端部本体１に接続固着されていて、鉗子チャンネル出口７に真っ直ぐに連通している。
【００１８】
鉗子チャンネルチューブ２１の外周面には、湾曲部１０の全範囲から可撓管３０の先端側の部分にかけて、金属製の保護コイル２３が螺旋状に巻き付けられている。２３ａは、保護コイル２３の巻き始め端部である。
【００１９】
図６は、照明窓４の中心を含む側面断面図であり、照明窓４部分において、先端部本体１に固着された凹レンズからなる配光レンズ２６の奥には、ライトガイドファイババンドル２７の射出端部２７ａが固定されている。
【００２０】
そして、ライトガイドファイババンドル２７の外周面には湾曲部１０の全範囲から可撓管３０の先端側の部分にかけて、金属製の保護コイル２８が螺旋状に巻き付けられている。２８ａは、保護コイル２８の巻き始め端部である。
【００２１】
図７は、湾曲部１０と可撓管３０の連結部付近を示している。可撓管３０は、例えば巻き方向が異なる二重の螺旋管３１の外周面に網状管３２を被覆し、さらにその外側に合成樹脂製の外皮３３を被覆して構成されている。
【００２２】
そして、可撓管３０側の連結口金３４と湾曲部１０側の連結口金１７とが、固定ネジ３５によって連結固定されている。３６は、可撓管３０内において、操作ワイヤ１５を挿通案内するためのガイドコイルである。
【００２３】
鉗子チャンネルチューブ２１は、湾曲部１０から可撓管３０の全長にわたって挿通されているが、それに巻き付けられた保護コイル２３の巻き終り端部２３ｂは、可撓管３０内の先端寄りの部分の内側に位置している。
【００２４】
なお、ライトガイドファイババンドル２７の外周面に巻き付けられた保護コイル２８の巻き終り端部は図示されていないが、保護コイル２３と同様に、可撓管３０内の先端寄りの部分に位置している。
【００２５】
図１は、図５及び図６に示されるＩ−Ｉ断面、即ち湾曲部１０の最先端部分の正面断面を示しており、２９は、第２のライトガイドファイババンドル、３７は送気チューブ、３８は送水チューブである。
【００２６】
図１中のＡは、鉗子チャンネルチューブ２１の外周面に巻き付けられた保護コイル２３の巻き始め端部２３ａの位置する範囲を示している。このように保護コイル２３の巻き始め端部２３ａは、湾曲部１０の内方を臨む位置に配置されている。
【００２７】
同じくＢは、ライトガイドファイババンドル２７の外周面に巻き付けられた保護コイル２８の巻き始め端部２８ａの位置する範囲を示しており、湾曲部１０の内方を臨む位置に配置されている。
【００２８】
図２は、図７におけるII−II断面、即ち可撓管３０の先端近傍の正面断面を示している。
図２に示されるＣは、鉗子チャンネルチューブ２１の外周面に巻き付けられた保護コイル２３の巻き終り端部２３ｂの位置する範囲を示しており、可撓管３０の内方を臨む位置に配置されている。
【００２９】
また、Ｄは、ライトガイドファイババンドル２７の外周面に巻き付けられた保護コイル２８の巻き終り端部２８ｂの位置する範囲を示しており、やはり可撓管３０の内方を臨む位置に配置されている。
【００３０】
このように構成された内視鏡の内蔵物保護構造においては、鉗子チャンネルチューブ２１とライトガイドファイババンドル２７の腰折れが各々保護コイル２３，２８によって防止されるので、湾曲部１０を繰り返し湾曲させても、鉗子チャンネルチューブ２１とライトガイドファイババンドル２７の腰折れ事故が発生しない。
【００３１】
そして、各保護コイル２３，２８の巻き始め端部２３ａ，２８ａ及び巻き終り端部２３ｂ，２８ｂが、各々挿入管の内方を臨む位置に配置されているので、組み立て作業において、これら内蔵物を束ねて可撓管３０及び湾曲部１０に挿通する際に、各保護コイル２３，２８の巻き始め端部２３ａ，２８ａ及び巻き終り端部２３ｂ，２８ｂが、可撓管３０や湾曲部１０の口金に引っ掛かって位置ずれを起こすようなことがない。
【００３２】
なお、保護コイル２３，２８の断面形状は、例えば図８に示されるような円形でもよく、図９に示されるような偏平状であっても差し支えない。また、内蔵物が鉗子チャンネルチューブ２１のようなチューブ類の場合には、図１０に示されるように、鉗子チャンネルチューブ２１の外周面に螺旋溝２１ａを形成して、そこに保護コイル２３を嵌め込むように巻き付けてもよい。
【００３３】
なお、本発明は上記の実施の形態に限定されるものではなく、例えば保護コイルを巻き付けるのが、鉗子チャンネルチューブ２１及びライトガイドファイババンドル２７のどちらか一方であっても差し支えなく、またその他の内蔵物に保護コイルを巻き付けるものであっても差し支えない。
【００３４】
また、上記実施の形態に示された内視鏡は前方視型の内視鏡であるが、側方視型あるいは斜視型の内視鏡に本発明を適用しても差し支えなく、電子内視鏡に適用しても差し支えない。
【００３５】
【発明の効果】
本発明によれば、可撓性の内蔵物の外周面に螺旋状に巻き付けられた保護コイルの巻き始め端部と巻き終り端部の少なくとも一方を、挿入管の内方を臨む位置に配置したことにより、保護コイルが巻き付けられた内蔵物を挿入管に通す組み立て作業を、保護コイルがずれることなく、容易に行うことができ、安定した優れた品質を得ることができる。
【図面の簡単な説明】
【図１】本発明の実施の形態の湾曲部の先端部分の正面断面図である。
【図２】本発明の実施の形態の可撓管の先端近傍の正面断面図である。
【図３】本発明の実施の形態の内視鏡の全体略示図である。
【図４】本発明の実施の形態の挿入部先端の正面図である。
【図５】本発明の実施の形態の挿入部先端の、鉗子チャンネルの中心軸線を含む側面断面図である。
【図６】本発明の実施の形態の挿入部先端の、ライトガイドファイバの中心軸線を含む側面断面図である。
【図７】本発明の実施の形態の可撓管と湾曲部との連結部の側面断面図である。
【図８】本発明の実施の形態の保護コイルの素線の一例を示す断面図である。
【図９】本発明の実施の形態の保護コイルの素線の一例を示す断面図である。
【図１０】本発明の実施の形態の内蔵物に螺旋溝を形成した場合の部分断面図である。
【符号の説明】
１０  湾曲部
２１  鉗子チャンネルチューブ
２３  保護コイル
２３ａ  巻き始め端部
２３ｂ  巻き終り端部
２７  ライトガイドファイババンドル
２８  保護コイル
２８ａ  巻き始め端部
２８ｂ  巻き終り端部
３０  可撓管
【図１】
0003758776.tif 000002
【図２】
0003758776.tif 000003
【図３】
0003758776.tif 000004
【図４】
0003758776.tif 000005
【図５】
0003758776.tif 000006
【図６】
0003758776.tif 000007
【図７】
0003758776.tif 000008
【図８】
0003758776.tif 000009
【図９】
0003758776.tif 000010
【図１０】
0003758776.tif 000011